(57)【要約】【課題】  電池残量がなくなったことを特定の通信先へ知らせることができる携帯機器を提供する。【解決手段】  電池残量を検出する電池残量検出手段と、特定の通信先を格納することができるメモリ手段と、特定の通信先に通信が可能な通信手段を有する携帯機器であって、電池残量がなくなる直前に特定の通信先に通信手段を用いて電池残量がなくなったことを知らせる構成とする。【選択図】  図１
2007074246.tif 000002
【特許請求の範囲】
【請求項１】
電池残量を検出する電池残量検出手段と、特定の通信先を格納することができるメモリ手段と、特定の通信先に通信が可能な通信手段を有する携帯機器において、電池残量がなくなる直前に特定の通信先に通信手段を用いて電池残量がなくなったことを知らせることを特徴とする携帯機器。
【発明の詳細な説明】
【技術分野】
【０００１】
本発明は、電池残量がなくなったことを特定の通信先へ知らせることができる携帯機器に関するものである。
【背景技術】
【０００２】
携帯機器の使用者は、使用中の携帯機器の電池残量を把握するための手段は数多くある。
【０００３】
また、特開２００２−１８６０５２号公報のように、電池残量が少なくなった場合、センターに通知し、センターは利用者に対してなんらかのメディアを通じて充電を促すものもある。
又、別の従来例としては、特許文献２及び特許文献３をあげることが出来る。
【特許文献１】特開２００２−１８６０５２号公報
【特許文献２】特開平１０−１８６０１０号公報
【特許文献３】特開平０６−１１９５７２号公報
【発明の開示】
【発明が解決しようとする課題】
【０００４】
しかしながら、携帯機器を使用中の本人は電池残量が減っていることや、電池残量がなくなったことで携帯機器が使用不能になっていることを知ることができるが、複数の携帯機器が通信中である場合に、一つの通信者の通信が途絶えたときなどは、その他の通信者にとっては、通信が途絶えた携帯機器が通信状態不能な状態であるのか、それとも電池残量がない状態なのかを知ることはできなかった。
【０００５】
また、起動させようと思っても、起動しない携帯機器が故障してしまったのか、それとも、単に電池残量がなくなってしまったのかを判断するためには充電してみなければわからなかった。
【課題を解決するための手段】
【０００６】
本発明は、次のような手段によって、上述した課題の解決を達成している。
【０００７】
電池残量を検出する電池残量検出手段と、特定の通信先を格納することができるメモリ手段と、特定の通信先に通信が可能な通信手段を有する携帯機器において、電池残量がなくなる直前に特定の通信先に通信手段を用いて電池残量がなくなったことを知らせることを特徴とする携帯機器を構成することにより、上述した課題を解決する。
【発明の効果】
【０００８】
以上説明した本実施例により、予め使用者が登録していた通信先や、本携帯機器が通信中である場合はその通信相手、または、通信を管理するための通信管理センターなど特定の通信先では、本携帯機器が電池残量切れのため通信不能であることを知ることができる。そのため、特定の通信先では本携帯機器が充電されない限り、本携帯機器に対して通信不能であることがわかる。
【０００９】
つまり、本携帯機器と別の携帯機器が通信中の途中で通信が途絶えた場合、電池残量切れを通信相手に通知することができれば、通信相手は通信が途絶えたのか、電池残量が切れたのかを知ることができ、通信が切れたのであれば、しばらくしてまた通信を始めればよいが、電池残量が切れたのであれば、すぐに通信を再開できないことを通信が途絶えた直後に知ることができる。これは、通信が途絶えた後では通信手段がないことから、電池残量がなくなる直前に相手にその理由を伝えることができることは有効である。
【００１０】
また、特定の通信先に本携帯機器を使用する人が知ることができるもうひとつの携帯機器などを設定しておくことで、本携帯機器が電池残量切れで使用できないことを知ることができ、直ちに充電などの対応をとることができる。
【００１１】
さらに、放置しておいた本携帯機器を使用しようとしたときに起動しないような場合でも、本携帯機器が故障ではなく、電池切れであることも確実に知ることができる。
【発明を実施するための最良の形態】
【００１２】
以下添付図面に従って、本発明を好適な実施形態に従って詳細に説明する。
【００１３】
（第１の実施形態）
図１は、本発明を実施するための携帯機器の構成図である。
【００１４】
図１において、ＣＰＵ（中央演算処理装置）１０１は、本携帯機器の動作を制御する。
【００１５】
また、ＣＰＵ１０１は、電池１０２、電池残量検出部１０３、メモリ１０４、負荷１０６、通信部１０５が接続されている。
【００１６】
電源１０２は、ＣＰＵ１０１、電池残量検出部１０３、通信部１０５、負荷１０６に電力を供給する。
【００１７】
電池残量検出部１０３は、電池１０２の電池電圧及び電池温度と負荷１０６に流れる電流を検出し、メモリ１０４に格納される電池残量情報により電池１０２の電池残量を計算する。そして、電池残量が電池残量限界値以下になった場合、その結果をＣＰＵ１０１に伝える。
【００１８】
ここで、電池残量限界値とはメモリ１０４に格納されている特定の通信先に通信可能な電力を残した電池残量である。また、電池残量検出の手段は本実施例の限りでない。
【００１９】
メモリ１０４は、ＣＰＵ１０１の動作プログラム、電池残量が電池残量限界値以下になった場合に通信部１０５より通信する特定の通信先、電池残量情報などを格納している。
【００２０】
ここで、特定の通信先とは予め使用者が登録していた通信先や、本携帯機器が通信中である場合はその通信相手、または、通信を管理するための通信管理センターなどである。
【００２１】
また、この通信先は使用者が自由に選択できる。
【００２２】
通信部１０５は、電池残量検出部１０３で電池残量が電池残量限界値以下になったことを検出した場合、ＣＰＵ１０１は通信部１０５にメモリ１０４に格納された特定の通信先へ電池残量がなくなったことを通知する。
【００２３】
負荷１０６は、ＬＣＤやタッチパネルなどのユーザーインターフェース、携帯機器で行うことができる様々な機能に関するデバイスである。
【００２４】
図２は、ＣＰＵ１０１が特定の通信先へ電池残量切れを通知するときのフローチャート図である。
【００２５】
電池１０２により、ＣＰＵ１０１に電力が供給されると、ＣＰＵ１０１はメモリ１０４に格納されたプログラムに従い制御を開始する。
【００２６】
以下、ＣＰＵ１０１が特定の通信先へ電池残量切れを通知する一連の動作は、携帯機器が起動されているときに限らず、携帯機器が起動されていないときでも行われるものとする。
【００２７】
ステップＳ２０１において、ＣＰＵ１０１は、電池残量検出部１０３からの電池残量情報がメモリ１０４に格納された電池残量限界値以上である場合、電池残量検出を繰り返す。
【００２８】
ステップＳ２０２において、ＣＰＵ１０１は、通信部１０５が通信可能な状態になるまで、通信待ち状態を維持する。
【００２９】
ステップＳ２０３において、ステップＳ２０１で電池残量検出部１０３からの電池残量情報がメモリ１０４に格納された電池残量限界値以下である場合、メモリ１０４に格納された特定の通信先へ本携帯機器が電池残量切れであることを通知する。
【００３０】
ステップＳ２０４において、ＣＰＵ１０１は、ステップＳ２０５で特定の通信先へ本携帯機器が電池切れであることを通知したところで、本携帯機器は電池残量切れになる。
【００３１】
以上説明した本実施例により、予め使用者が登録していた通信先や、本携帯機器が通信中である場合はその通信相手、または、通信を管理するための通信管理センターなど特定の通信先では、本携帯機器が電池残量切れのため通信不能であることを知ることができる。そのため、特定の通信先では本携帯機器が充電されない限り、本携帯機器に対して通信不能であることがわかる。
【００３２】
つまり、本携帯機器と別の携帯機器が通信中の途中で通信が途絶えた場合、電池残量切れを通信相手に通知することができれば、通信相手は通信が途絶えたのか、電池残量が切れたのかを知ることができ、通信が切れたのであれば、しばらくしてまた通信を始めればよいが、電池残量が切れたのであれば、すぐに通信を再開できないことを通信が途絶えた直後に知ることができる。これは、通信が途絶えた後では通信手段がないことから、電池残量がなくなる直前に相手にその理由を伝えることができることは有効である。
【００３３】
また、特定の通信先に本携帯機器を使用する人が知ることができるもうひとつの携帯機器などを設定しておくことで、本携帯機器が電池残量切れで使用できないことを知ることができ、直ちに充電などの対応をとることができる。
【００３４】
さらに、放置しておいた本携帯機器を使用しようとしたときに起動しないような場合でも、本携帯機器が故障ではなく、電池切れであることも確実に知ることができる。
【００３５】
（第２の実施形態）
本実施の形態は、第１の実施形態に対して、電池残量が切れた後に充電を行った場合、充電を行ったので携帯機器の使用が可能であることを、第１の実施形態で説明した携帯機器で設定した特定の通信先に通知するものである。
【００３６】
以下、本実施形態の携帯機器において、図１のＣＰＵ１０１が特定の通信先へ本携帯機器が使用可能であることを知らせる方法について説明する。
【００３７】
なお、本実施形態における電子機器の構成図は図１に示し、第１の実施形態と同じである。
【００３８】
図３は、図１のＣＰＵ１０１が特定の通信先へ携帯機器が使用可能になったことを通知するときのフローチャート図である。
【００３９】
ステップＳ３０１において、ＣＰＵ１０１は、第１の実施形態のようにして、携帯機器の電池残量が切れた状態であり、動作不能状態である。
【００４０】
ステップＳ３０２において、ＣＰＵ１０１は、電池１０２の電池電圧がＣＰＵ１０１を動作可能な電圧に達したことにより動作を開始し、電池電圧検出部１０３により電池電圧がメモリ１０４に格納された電池残量動作値以下である間、電池残量検出状態を維持する。
【００４１】
ここで、電池残量動作値とは、携帯機器を使用可能となる十分な値であるが、特にこの値である必要はない。
【００４２】
ステップＳ３０３において、ＣＰＵ１０１は、通信部１０５が通信可能な状態になるまで、通信待ち状態を維持する。
【００４３】
ステップＳ３０４において、ステップＳ３０２で電池残量検出部１０３からの電池残量情報がメモリ１０４に格納された電池残量動作値以上である場合、メモリ１０４に格納された特定の通信先へ本携帯機器が使用可能となったことを通知する。
【００４４】
ステップＳ３０５において、ＣＰＵ１０１は、メモリ１０４に格納された制御プログラムに従い動作を開始する。
【００４５】
以上説明した本実施例により、特定の通信先では、本携帯機器が電池残量切れのため通信不能であった状態が、使用可能になったことを知ることができる。
【００４６】
（第３の実施形態）
本実施の形態は、第１の実施形態に対して、電池１０２の残量はメモリ１０４に格納されている特定の通信先に通信可能な電力を残していたが、電池１０２の他にメモリ１０４に格納されている特定の通信先に通信可能な電力分を備えた予備電池を使用したものである。
【００４７】
以下、本実施形態の携帯機器において、第１の実施形態において予備電池を使用した場合の方法について説明する。
【００４８】
図４は、本発明を実施するための携帯機器の構成図である。図４において、４０１〜４０６は図１の１０１〜１０６にそれぞれ対応する。
【００４９】
図４において、予備電池４０７は、ＣＰＵ４０１と通信部４０５に接続し、電池４０２の残量がなくなったことを電池残量検出部４０３が検出したときに、予備電池４０７を使用し、通信部４０５はメモリ４０４に格納された特定の通信先に電池残量が切れたことを知らせる。
【００５０】
以上説明した本実施例により、予備電池を使用することにより、より確実に特定の通信先へ、本携帯機器が電池残量切れのため通信不能であることを知ることができる。
【図面の簡単な説明】
【００５１】
【図１】本発明を実施するための携帯機器の構成図である。
【図２】図１のＣＰＵ１０１が特定の通信先へ電池残量切れを通知するときのフローチャート図である。
【図３】図１のＣＰＵ１０１が特定の通信先へ携帯機器が使用可能になったことを通知するときのフローチャート図である。
【図４】図１の携帯機器の構成図において予備電池を追加した図である。
【符号の説明】
【００５２】
101  ＣＰＵ
102  電池
103  電池残量検出部
104  メモリ
105  通信部
106  負荷
【図１】
2007074246.tif 000003
【図２】
2007074246.tif 000004
【図３】
2007074246.tif 000005
【図４】
2007074246.tif 000006